(57)【要約】【課題】ロール状ペーパーの中央部を摘んで引き出し，その中央部を摘んだままペーパーを簡単に切り離すことができるペーパーホルダーを提供する。【解決手段】ホルダー本体１０の一対の支持部２０に支持されたロール状ペーパーＲの切り離し時にそのロール状ペーパーＲの外周部Ｒ２に食い込む食い込み部１２を，一対の支持部２０同士の間においてホルダー本体１０の中央部にのみ設ける。食い込み部１２の背面部には，固定構造体Ｗに吸着されて食い込み部１２を弾性的に支持する吸盤５０を設ける。【選択図】図１
2006124107.tif 000002
【特許請求の範囲】
【請求項１】
ロール状ペーパーの両端を回転自在に支持する一対の支持部を設けたホルダー本体と，このホルダー本体の背面部に設けられた固定構造体への取付手段とを備えたペーパーポルダーであつて，前記ホルダー本体の一対の支持部に支持されたロール状ペーパーの切り離し時にそのロール状ペーパーの外周部に食い込む食い込み部を，前記一対の支持部同士の間において前記ホルダー本体の中央部にのみ設けたことを特徴とするパーパーホルダー。
【請求項２】
前記食い込み部の背面部には，前記固定構造体との間に介在される弾性体を設けたことを特徴とする請求項１記載のパーパーホルダー。
【請求項３】
前記弾性体は，前記固定構造体に吸着されて前記食い込み部を弾性的に支持する吸盤であることを特徴とする請求項２記載のパーパーホルダー。
【発明の詳細な説明】
【技術分野】
【０００１】
本発明は，ロール状ペーパーを固定構造体に支持するペーパーホルダーに関する。主として，キッチン周辺の冷蔵庫あるいはスチール製品等の壁面を利用して取り付けるペーパーホルダーに関するものである。
【背景技術】
【０００２】
従来，ロール状ペーパーを回転自在に支持する支持部を設けたホルダー本体と，このホルダー本体の背面部に設けられた固定構造体への取付手段とを備えたペーパーポルダーであつて，前記ホルダー本体の支持部に支持されたロール状ペーパーの切り離し時にそのロール状ペーパーの外周部に食い込む食い込み部を，前記ホルダー本体に設けたパーパーホルダーが知られている（例えば，特許文献１，特許文献２参照）。
このような従来のペーパーホルダーは，ロール状ペーパーの切り離し時にそのロール状ペーパーの外周部に食い込む食い込み部が，ロール状ペーパーの両端に対応する部位に設けられているので，ロール状ペーパーの両端を摘んで引き出し，その両端を摘んだままロールを前記食い込み部に食い込ませてペーパーを切り離す場合には，ロールの両端に前記食い込み部が良好に食い込んで，ペーパーを簡単に切り離すことができる。
【特許文献１】実公平７−３０６０９号公報
【特許文献２】特開２００２−２０９７７１号公報
【発明の開示】
【発明が解決しようとする課題】
【０００３】
上述した従来のペーパーホルダーでは，上記食い込み部が，ロール状ペーパーの両端に対応する部位にのみ設けられていたので，ロール状ペーパーの中央部を摘んで引き出し，その中央部を摘んだままロールを前記食い込み部に食い込ませてペーパーを切り離す場合には，ロールの両端に前記食い込み部が必ずしも良好に食い込まないことがあり，ペーパーを簡単に切り離すことができないことがあった。
本発明の目的は，ロール状ペーパーの中央部を摘んで引き出し，その中央部を摘んだままペーパーを簡単に切り離すことができるペーパーホルダーを提供することにある。
【課題を解決するための手段】
【０００４】
上記目的を達成するために，本発明のペーパーホルダーは，ロール状ペーパーの両端を回転自在に支持する一対の支持部を設けたホルダー本体と，このホルダー本体の背面部に設けられた固定構造体への取付手段とを備えたペーパーポルダーであつて，前記ホルダー本体の一対の支持部に支持されたロール状ペーパーの切り離し時にそのロール状ペーパーの外周部に食い込む食い込み部を，前記一対の支持部同士の間において前記ホルダー本体の中央部にのみ設けたことを特徴とする。
このような構成によれば，ロール状ペーパーの中央部を摘んで引き出し，その中央部を摘んだままロールを食い込み部に食い込ませてペーパーを切り離す場合，食い込み部が前記一対の支持部同士の間において前記ホルダー本体の中央部にのみ設けられている，すなわち，ペーパーの中央を摘んで切り離す際に最も大きな力が作用する部位に対応する部位である中央部に上記食い込み部が設けられていることによって，ロールの中央部に食い込み部が良好に食い込んで，ペーパーを簡単に切り離すことができるようになる。
しかも，前記食い込み部は前記中央部にのみ設けられたいるので，ロールに対する食い込み力が集中し，より良好にパーパーを切り離すことができる。
なお，ロール状ペーパーの両端を摘んで引き出し，その両端を摘んだままロールを前記食い込み部に食い込ませてペーパーを切り離す場合にも，ロールの中央部に前記食い込み部が良好に食い込んで，ペーパーを簡単に切り離すことができる。
望ましくは，前記食い込み部の背面部には，前記固定構造体との間に介在される弾性体を設ける。
このように構成すると，ペーパーに前記食い込み部が食い込む際に，前記弾性体が緩衝体としての役割を果たすので，食い込み部がペーパーにじんわりと食い込んで，必要以上にロールを傷つけることがなくなると同時に，食い込み部がロールに食い込む際に当該食い込み部が前記固定構造体に当接する当接音を防止することができる。
望ましくは，前記弾性体は，前記固定構造体に吸着されて前記食い込み部を弾性的に支持する吸盤で構成する。
このように構成すると，上記作用効果に加え，ペーパー切り離し時に力が作用する食い込み部のズレも防止できるという作用効果が得られる。
【発明を実施するための最良の形態】
【０００５】
図１は本発明に係るペーパーホルダーの一実施の形態を示す図で，（ａ）は正面図，（ｂ）はロール状ペーパーを支持した状態の側面図である。図２（ａ）は背面図，（ｂ）は図（ａ）の平面図，（ｃ）は図（ａ）におけるｃ−ｃ断面図，（ｄ）は図（ｃ）の部分拡大図，（ｅ）は図（ａ）における部分省略拡大ｅ−ｅ視図である。図３（ａ）（ｂ）は作用説明図である。
【０００６】
これらの図に示すように，このペーパーホルダー１は，ロール状ペーパー（単に，ロールともいう）Ｒの両端Ｒ１を回転自在に支持する一対の支持部２０を設けたホルダー本体１０と，このホルダー本体１０の背面部に設けられた，固定構造体Ｗへの取付手段４０とを備え，ホルダー本体１０の一対の支持部２０に支持されたロール状ペーパーＲの切り離し時にそのロール状ペーパーＲの外周部Ｒ２に食い込む食い込み部１２が，一対の支持部２０同士の間においてホルダー本体１０の中央部にのみ設けられている。
【０００７】
本体１０は，箱形であり，ラップやアルミホイル等の小物Ｋを入れることができるようになっている。
図２に示すように，本体１０には仕切板３０が設けられている。
仕切板３０の上部には，幅広の掛け部３１が設けられており，この掛け部３１の下部にフック３２が設けられている。
一方，本体１０の上辺には，第１レール部１３およびスリット１４が設けられており，背面には第２レール部１５が設けられている。
図２（ｄ）に示すように，第１レール部１３上に掛け部３１を載せるようにしてフック３２をスリット１４に通し，フック３２の爪３３を第２レール１５に係合させることによって，仕切板３０は上記レール部１３，１５およびスリット１４に沿ってスライド可能に本体１０に対して取り付けられている。
したがって，上記小物Ｋの幅に合わせて仕切板３０を適宜の位置にスライドさせることにより，小物Ｋを良好に支持することができる。
【０００８】
仕切板３０は取り外すことも可能である。
取り外す際には，図２（ａ）に示すように矢印Ａ方向へ回動させると，掛け部３１の一端が本体１０の上辺と当接し，この当接部Ｔを支点としてテコの原理でフック３２を第２レール１５から外すことができる。
なお，図２（ｄ）において，１６は第１レール部１３を補強するリブ，１７はリブに設けられた穴（上記フック３２を通すための穴）である。
【０００９】
図２（ａ）に示すように，支持部２０は，アーム２１の一部として形成されている。
アーム２１は，本体１０の下部に対して回動可能かつスライド可能に支持された軸部２２と，ロール状ペーパーＲの端部Ｒ１に入り込んで当該ロールＲを回転可能に支持する前記支持部２０とを有している。支持部２０は円筒状である（図１（ｂ）参照）。
軸部２２の先端は割ピン状に構成され，その先端には，フック部２３が形成されている。
図２（ｅ）に示すように，このフック部２３は，軸部２２の軸線方向から見て，全体として略楕円形である。
【００１０】
一方，本体１０における上記軸部２２の支持部には，板部１８が複数設けられており，この板部１８には，図２（ｅ）に示すように切り欠き１８ａが設けられている。
この切り欠き１８ａは，軸部２２（したがって上記フック部２３およびアーム２１）を図２（ｅ）に示す状態から，略９０度回動させたとき（図３（ａ）仮想線参照）にのみ，上記フック部２３の通過を許し，アーム２１が垂下状態，あるいはロール状ペーパーＲを支持している状態のときには，フック部２３の通過を許さずに当該フック部２３と係合する形状となっている。
【００１１】
したがって，一対のアーム２１でロール状ペーパーＲを支持する際には，先ず，少なくとも一方のアーム２１を図３（ａ）に仮想線で示すように回動させて図１（ａ）に破線で示すように引き出し，次いで一対のアーム２１間にロール状ペーパーＲを入れかつ一対の支持部２０をロール状ペーパーＲの両端の穴に入れるようにしてアーム２１を元の状態に戻すことによって，支持することができる。アーム２１は上述したようにスライド可能であるから，種々のサイズのロール状ペーパーＲを支持することができる。
【００１２】
図１に示すように，食い込み部１２は，一対の支持部２０同士の間においてホルダー本体１０の中央部にのみ設けられている。
食い込み部１２は，本体１０から垂下される垂下板１１の下部に形成されている。
食い込み部１２の背面部には，固定構造体Ｗとの間に介在される弾性体５０が設けられており，この弾性体５０は，固定構造体Ｗに吸着されて食い込み部１２を弾性的に支持する吸盤で構成されている。
垂下板１１には達磨穴１１ａがあり，この達磨穴１１ａに吸盤５０の頭部５１を係合させることで吸盤５０が垂下板１１に取り付けられている。
取付手段４０は，本体１０の背部に取り付けられた磁石で構成されている。
【００１３】
以上のようなペーパーホルダー１は，上記取付手段４０を用い，例えばキッチン周辺の冷蔵庫あるいはスチール製品等の壁面Ｗに取り付けて使用することができる。また，この際，吸盤５０を壁面Ｗに吸着させることができる。
すなわち，壁面Ｗに取り付けた状態で，本体１０に小物Ｋを入れ，アーム２１の支持部２０でロール状ペーパーＲを支持して使用することができる。
【００１４】
ロール状ペーパーＲを切り取る際には，ロール状ペーパーＲの一辺を摘み，図１（ｂ）に示すように，先ず水平方向Ｈに引き出し（引き出されたペーパーを符号Ｐで示す），次いで下方Ｖに引き下ろす。
水平方向Ｈに引き出す際には，アーム２１は，ロール状ペーパーＲが食い込み部１２に食い込まない方向（逃げ方向）へ回動するので，ペーパーを円滑に引き出すことができるが，次いで下方Ｖへ引き下ろすと，アーム２１がＢ方向へ回動し，食い込み部１２がロール状ペーパーＲの周面に食い込むように作用するので，ロール状ペーパーＲの破線矢印Ｃ方向への回動が規制され，引き続き下方へ引き下ろすことによって，ペーパーＰをミシン目等から切り離して使用することができる。
【００１５】
以上のようにして，ロール状ペーパーＲが消費されると，ロール状ペーパーＲの外径は次第に小さくなって行く。
図３（ｂ）は，その様子を示している。同図において，Ｒｍａｘは，新品のロール状ペーパーＲを，Ｒｍｉｎは最終枚（円筒状の芯の上に１枚のペーパーが巻き付いている状態）のロール状ペーパーＲを示している。
この実施の形態の食い込み部１２は，ロール状ペーパーＲが新品状態から最終枚に至るまで，全ての状態において，ロール状ペーパーＲの外周部に良好に食い込む形状となっている。
具体的には，略鉛直状で上下方向の幅が狭い鉛直面１２ａと，この鉛直面１２ａの下方に連なる湾曲面１２ｂとを有している。
【００１６】
このように構成すると，ロール状ペーパーＲが太いときには，鉛直面１２ａが食い込み，ロール状ペーパーＲが次第に細くなって行くにつれて湾曲面１２ｂが食い込むようになる。
ロール状ペーパーＲが太いときには，ペーパーが沢山ある分だけ食い込み易いから鉛直面（平面）１２ａであっても食い込み，鉛直面（平面）１２ａを食い込ませることによって，ロール状ペーパーＲの上述した矢印Ｃ方向への回転を規制できると同時に，ロール状ペーパーＲに必要以上の傷を付けてしまうことがなくなる。
【００１７】
一方，ロール状ペーパーＲが次第に細くなって行くと，紙の積層厚も小さくなるから，食い込み面が平面であると食い込みにくくなって，ロール状ペーパーＲの上述した矢印Ｃ方向への回転を十分には規制できなくなるおそれがあるが，この実施の形態では，ロール状ペーパーＲが次第に細くなって行くにつれて湾曲面１２ｂが食い込むようになるので，ロール状ペーパーＲの上述した矢印Ｃ方向への回転を十分に規制できる（図３（ａ）参照）と同時に，このときには紙の積層厚が小さい分，全体的な食い込み量も少なくなるので，やはりロール状ペーパーＲに必要以上の傷を付けてしまうことがなくなる。
【００１８】
以上のようなペーパーホルダーは，ロール状ペーパーＲの両端を回転自在に支持する一対の支持部２０を設けたホルダー本体１０と，このホルダー本体１０の背面部に設けられた固定構造体Ｗへの取付手段４０とを備え，前記ホルダー本体１０の一対の支持部２０に支持されたロール状ペーパーＲの切り離し時にそのロール状ペーパーＲの外周部Ｒ２に食い込む食い込み部１２を，前記一対の支持部２０同士の間においてホルダー本体１０の中央部にのみ設けた構成としてあるので，次のような作用効果が得られる。
すなわち，ロール状ペーパーＲの中央部を摘んで引き出し，その中央部を摘んだままロールを食い込み部１２に食い込ませてペーパーＰを切り離す場合，食い込み部１２が一対の支持部２０同士の間においてホルダー本体１０の中央部にのみ設けられている，すなわち，ペーパーＰの中央（幅方向中央）を摘んで切り離す際に最も大きな力が作用する部位に対応する部位である中央部に上記食い込み部１２が設けられていることによって，ロールＲの中央部に食い込み部１２が良好に食い込んで，ペーパーＰを簡単に切り離すことができるようになる。
しかも，食い込み部１２は中央部にのみ設けられたいるので，ロールＲに対する食い込み力が集中し，より良好にパーパーを切り離すことができる。
なお，ロール状ペーパーＲの両端を摘んで引き出し，その両端を摘んだままロールＲを食い込み部１２に食い込ませてペーパーＰを切り離す場合にも，ロールの中央部に食い込み部１２が良好に食い込んで，ペーパーＰを簡単に切り離すことができる。
【００１９】
一方，ペーパーＰを略水平方向Ｈへ引き出す際には（図１（ｂ）参照），上記食い込み部１２が中央部にのみ設けられていることによって，ロール状ペーパーＲに対する接触面積が少なくなるので，円滑に引き出すことができる。
【００２０】
食い込み部１２の背面部には，固定構造体Ｗとの間に介在される弾性体５０が設けられているので，ロール状ペーパーＲに食い込み部１２が食い込む際に，弾性体５０が緩衝体としての役割を果たすので，食い込み部１２がロール状ペーパーＲにじんわりと食い込んで，必要以上にロールＲを傷つけることがなくなると同時に，食い込み部１２がロールＲに食い込む際に当該食い込み部１２が固定構造体Ｗに当接する当接音を防止することができる。
例えば，図１（ｂ）において，仮に弾性体５０が設けられていないとすると，食い込み部１２がロールＲに食い込む際に食い込み部１２が固定構造体Ｗに当接し，異音が発生するおそれがあるが，この実施の形態によれば，そのような異音の発生を防止することができる。
【００２１】
弾性体５０は，固定構造体Ｗに吸着されて食い込み部１２を弾性的に支持する吸盤５０で構成されているので，上記作用効果に加え，ペーパー切り離し時に力Ｆ（図１（ｂ）参照）が作用する食い込み部１２のズレも防止できるという作用効果が得られる。
【００２２】
以上，本発明の実施の形態について説明したが，本発明は上記の実施の形態に限定されるものではなく，本発明の要旨の範囲内において適宜変形実施可能である。
【図面の簡単な説明】
【００２３】
【図１】本発明に係るペーパーホルダーの一実施の形態を示す図で，（ａ）は正面図，（ｂ）はロール状ペーパーを支持した状態の側面図。
【図２】（ａ）は背面図，（ｂ）は図（ａ）の平面図，（ｃ）は図（ａ）におけるｃ−ｃ断面図，（ｄ）は図（ｃ）の部分拡大図，（ｅ）は図（ａ）における部分省略拡大ｅ−ｅ視図。
【図３】（ａ）（ｂ）は作用説明図。
【符号の説明】
【００２４】
１    パーパーホルダー
Ｒ    ロール状ペーパー
Ｒ１  両端
Ｗ    固定構造体
１０    ホルダー本体
１２    食い込み部
２０    支持部
４０    取付手段
５０    吸盤（弾性体）
【図１】
2006124107.tif 000003
【図２】
2006124107.tif 000004
【図３】
2006124107.tif 000005